(57)【要約】広帯域無線アクセスシステムにおいてプロトコルスタック層での動作を明確にするために、移動局及び基地局内の上位管理層とＭＡＣ層間のプリミティブを定義することにより、移動局がスリープモードを行えるようにする。このようなプリミティブを利用することにより、ネットワーク制御管理システム（Ｎｅｔｗｏｒｋ  Ｃｏｎｔｒｏｌ  ａｎｄ  Ｍａｎａｇｅｍｅｎｔ  Ｓｙｓｔｅｍ；ＮＣＭＳ）とメディア独立ハンドオーバー（Ｍｅｄｉａ  Ｉｎｄｅｐｅｎｄｅｎｔ  Ｈａｎｄｏｖｅｒ；ＭＩＨ）層間の通信が可能になるので、ＭＩＨ手順を実現できる。
2008533944.tif 000002
【特許請求の範囲】
【請求項１】
スリープ要求を示す第１プリミティブを移動局ネットワーク制御管理システム（Ｍｏｂｉｌｅ  Ｓｔａｔｉｏｎ  Ｎｅｔｗｏｒｋ  Ｃｏｎｔｒｏｌ  Ｍａｎａｇｅｍｅｎｔ  Ｓｙｓｔｅｍ；ＭＳ  ＮＣＭＳ）から受信する段階と、
スリープ要求メッセージをネットワークに送信する段階と、
スリープ応答メッセージを前記ネットワークから受信する段階と、
スリープ確認を示す第２プリミティブを前記ＭＳ  ＮＣＭＳに送信する段階と、
トラフィック指示メッセージを前記ネットワークから受信する段階と、
トラフィックが存在するか否かを示す第３プリミティブを前記ＭＳ  ＮＣＭＳに選択的に送信する段階と
を含むことを特徴とする広帯域無線アクセスシステムにおける移動局のスリープモードサポート方法。
【請求項２】
前記第１プリミティブ、スリープ要求メッセージ、スリープ応答メッセージ、及び第２プリミティブが、パワーセービングクラスＩＤ、動作、開始フレームナンバー、リッスン期間、初期スリープ期間、最終スリープ期間ベース、最終スリープ期間指数、ＣＩＤの数、スリープＣＩＤの数、及びＲＥＧデュレーションの少なくとも１つを含むことを特徴とする請求項１に記載の広帯域無線アクセスシステムにおける移動局のスリープモードサポート方法。
【請求項３】
スリープ開始要求を示す第４プリミティブを前記ＭＳ  ＮＣＭＳから受信する段階と、
前記スリープ開始要求の結果を示す第５プリミティブを前記ＭＳ  ＮＣＭＳに送信する段階とをさらに含み、
前記結果が前記スリープ開始要求の成功又は失敗を示すことを特徴とする請求項１に記載の広帯域無線アクセスシステムにおける移動局のスリープモードサポート方法。
【請求項４】
前記第４プリミティブがアクションコードを含むことを特徴とする請求項３に記載の広帯域無線アクセスシステムにおける移動局のスリープモードサポート方法。
【請求項５】
前記アクションコードが正常状態の維持又はスリープ状態の開始を示すことを特徴とする請求項４に記載の広帯域無線アクセスシステムにおける移動局のスリープモードサポート方法。
【請求項６】
スリープ状態変更要求を示す第６プリミティブを前記ＭＳ  ＮＣＭＳから受信する段階と、
前記スリープ状態変更要求の結果を示す第７プリミティブを前記ＭＳ  ＮＣＭＳに送信する段階とをさらに含み、
前記結果が前記スリープ状態変更要求の成功又は失敗を示すことを特徴とする請求項３に記載の広帯域無線アクセスシステムにおける移動局のスリープモードサポート方法。
【請求項７】
前記第６プリミティブがアクションコードを含むことを特徴とする請求項６に記載の広帯域無線アクセスシステムにおける移動局のスリープモードサポート方法。
【請求項８】
前記アクションコードがスリープモードの終了又はスリープモードの維持を示すことを特徴とする請求項７に記載の広帯域無線アクセスシステムにおける移動局のスリープモードサポート方法。
【請求項９】
同種ネットワーク及び異種ネットワークの少なくとも一方とやり取りするメッセージを管理するための移動局の上位層に統一されたインタフェースを設定する段階と、
前記統一されたインタフェース（ＭＩＨ）がＭＳ  ＭＡＣにスリープモードを開始することを要求できるようにする第１メッセージをＭＳ  ＮＣＭＳに送信する段階と、
前記開始されたスリープモードの確認を示す第２メッセージを前記ＭＳ  ＭＡＣから受信する段階と、
トラフィックが存在するか否かを示す第３メッセージを前記ＭＳ  ＭＡＣから選択的に受信する段階と
を含むことを特徴とする広帯域無線アクセスシステムにおける移動局のスリープモードサポート方法。
【請求項１０】
前記第１メッセージ及び第２メッセージが、パワーセービングクラスＩＤ、動作、開始フレームナンバー、リッスン期間、初期スリープ期間、最終スリープ期間ベース、最終スリープ期間指数、ＣＩＤの数、スリープＣＩＤの数、及びＲＥＧデュレーションの少なくとも１つを含むことを特徴とする請求項９に記載の広帯域無線アクセスシステムにおける移動局のスリープモードサポート方法。
【請求項１１】
スリープ開始要求を示す第４メッセージを前記ＭＳ  ＮＣＭＳに送信する段階と、
前記スリープ開始要求の結果を示す第５メッセージを前記ＭＳ  ＮＣＭＳから受信する段階とをさらに含み、
前記結果が前記スリープ開始要求の成功又は失敗を示すことを特徴とする請求項９に記載の広帯域無線アクセスシステムにおける移動局のスリープモードサポート方法。
【請求項１２】
前記第４メッセージがアクションコードを含むことを特徴とする請求項１１に記載の広帯域無線アクセスシステムにおける移動局のスリープモードサポート方法。
【請求項１３】
前記アクションコードが正常状態の維持又はスリープ状態の開始を示すことを特徴とする請求項１２に記載の広帯域無線アクセスシステムにおける移動局のスリープモードサポート方法。
【請求項１４】
スリープ状態変更要求を示す第６メッセージを前記ＭＳ  ＮＣＭＳに送信する段階と、
前記スリープ状態変更要求の結果を示す第７メッセージを前記ＭＳ  ＮＣＭＳから受信する段階とをさらに含み、
前記結果が前記スリープ状態変更要求の成功又は失敗を示すことを特徴とする請求項１１に記載の広帯域無線アクセスシステムにおける移動局のスリープモードサポート方法。
【請求項１５】
前記第６メッセージがアクションコードを含むことを特徴とする請求項１４に記載の広帯域無線アクセスシステムにおける移動局のスリープモードサポート方法。
【請求項１６】
前記アクションコードがスリープモードの終了又はスリープモードの維持を示すことを特徴とする請求項１５に記載の広帯域無線アクセスシステムにおける移動局のスリープモードサポート方法。
【請求項１７】
スリープ要求メッセージをＭＳ  ＭＡＣから受信する段階と、
スリープ要求を示す第１プリミティブをネットワークＮＣＭＳ又は上位エンティティに送信する段階と、
前記スリープ要求の結果を示す第２プリミティブを前記ネットワークＮＣＭＳ又は上位エンティティから受信する段階と、
スリープ応答メッセージを前記ＭＳ  ＭＡＣに送信する段階と
を含むことを特徴とする広帯域無線アクセスシステムにおける移動局のスリープモードサポート方法。
【請求項１８】
前記第１プリミティブ、スリープ要求メッセージ、スリープ応答メッセージ、及び第２プリミティブが、パワーセービングクラスＩＤ、動作、開始フレームナンバー、リッスン期間、初期スリープ期間、最終スリープ期間ベース、最終スリープ期間指数、ＣＩＤの数、スリープＣＩＤの数、及びＲＥＧデュレーションの少なくとも１つを含むことを特徴とする請求項１７に記載の広帯域無線アクセスシステムにおける移動局のスリープモードサポート方法。
【請求項１９】
同種ネットワーク及び異種ネットワークの少なくとも一方とやり取りするメッセージを管理するためのネットワークの上位層に統一されたインタフェースを設定する段階と、
スリープ要求を示す第１メッセージを前記ネットワークＮＣＭＳから受信する段階と、
前記スリープ要求の確認を示す第２メッセージを前記ネットワークＮＣＭＳに送信する段階と
を含むことを特徴とする広帯域無線アクセスシステムにおける移動局のスリープモードサポート方法。
【請求項２０】
前記第１メッセージ及び第２メッセージが、パワーセービングクラスＩＤ、動作、開始フレームナンバー、リッスン期間、初期スリープ期間、最終スリープ期間ベース、最終スリープ期間指数、ＣＩＤの数、スリープＣＩＤの数、及びＲＥＧデュレーションの少なくとも１つを含むことを特徴とする請求項１９に記載の広帯域無線アクセスシステムにおける移動局のスリープモードサポート方法。
【発明の詳細な説明】
【技術分野】
【０００１】
本発明は広帯域無線アクセスシステムに関し、特に、移動局のプロトコルスタック内でのプリミティブ及び基地局のプロトコルスタック内でのプリミティブを明確に定義することにより、広帯域無線アクセスシステムで移動局のスリープモード（アイドルモード）への移行を効果的にサポートできる方法に関する。
【背景技術】
【０００２】
広帯域無線アクセスシステムの国際標準化を行っているＩＥＥＥ８０２．１６ｅのシステムは、既存の第２世代、第３世代移動通信システムとは異なり、ＨＬＲ（Ｈｏｍｅ  Ｌｏｃａｔｉｏｎ  Ｒｅｇｉｓｔｅｒ）、ＶＬＲ（Ｖｉｓｉｔｏｒ  Ｌｏｃａｔｉｏｎ  Ｒｅｇｉｓｔｅｒ）、ＭＳＣ（Ｍｏｂｉｌｅ  Ｓｗｉｔｃｈｉｎｇ  Ｃｅｎｔｅｒ）、ＢＳＣ（Ｂａｓｅ  Ｓｔａｔｉｏｎ  Ｃｏｎｔｒｏｌｌｅｒ）、ＲＮＣ（Ｒａｄｉｏ  Ｎｅｔｗｏｒｋ  Ｃｏｎｔｒｏｌｌｅｒ）などから構成された階層構造を有するのではなく、ＭＳＳ（Ｍｏｂｉｌｅ  Ｓｕｂｓｃｒｉｂｅｒ  Ｓｔａｔｉｏｎ）、ＢＳ（Ｂａｓｅ  Ｓｔａｔｉｏｎ）、及びＡＳＡ（Ａｕｔｈｅｎｔｉｃａｔｉｏｎ  Ｓｅｒｖｉｃｅ  Ａｕｔｈｏｒｉｚａｔｉｏｎ）のみから構成される。
【０００３】
広帯域無線アクセスシステムは、基地局と移動局（ＭＳＳ）間で共通する媒体アクセス制御（Ｍｅｄｉｕｍ  Ａｃｃｅｓｓ  Ｃｏｎｔｒｏｌ；ＭＡＣ）層及び物理（ＰＨＹｓｉｃａｌ；ＰＨＹ）層のプロトコルを定義する。図１は広帯域無線アクセスシステムのプロトコル層構造を示す図である。
【０００４】
広帯域無線アクセスシステムにおいては、移動局の電力消費を最小化するためにスリープモードをサポートする。スリープモード状態にある移動局のスリープ区間（ｓｌｅｅｐ  ｐｅｒｉｏｄ）は、リッスン期間（ｌｉｓｔｅｎｉｎｇ  ｗｉｎｄｏｗ）とスリープ期間（ｓｌｅｅｐ  ｗｉｎｄｏｗ）とからなる。
【０００５】
前記リッスン期間に、前記移動局は、移動局自身に伝送されるダウンリンクトラフィックがあるか否か、又はアップリンク通信維持及び信号品質による適切なダウンリンク符号化タイプ維持のための測距を行う必要があるか否かを指示するブロードキャストタイプのトラフィックダウンリンクメッセージを基地局から受信する。前記スリープ期間に、前記移動局は、電力を節約するために基地局から最小限のダウンリンク信号のみを受信し、この期間に前記移動局は、ハンドオーバーのための隣接基地局のスキャニングを行い、アップリンク通信維持及び信号品質による適切なダウンリンク符号化タイプ維持のための測距を行う。
【０００６】
前記スリープモードは、共通の特性を有する３つのパワーセービングクラスグループ（タイプ１、タイプ２、タイプ３）に分かれる。スリープモードのサポートに使用されるメッセージの例は次の通りである。
【０００７】
スリープ要求メッセージ（ＭＯＢ＿ＳＬＰ＿ＲＥＱ）は、基本接続識別子（Ｂａｓｉｃ  Ｃｏｎｎｅｃｔｉｏｎ  Ｉｄｅｎｔｉｆｉｅｒ；Ｂａｓｉｃ  ＣＩＤ）により移動局から基地局に伝達され、パワーセービングクラスを定義し、そのアクティブ化を要求するメッセージである。
【０００８】
スリープ応答メッセージ（ＭＯＢ＿ＳＬＰ＿ＲＳＰ）は、前記ＭＯＢ＿ＳＬＰ＿ＲＥＱメッセージに対する応答メッセージであり、これを受信すると、前記移動局は、前記パワーセービングクラスの接続をグループ化し、前記ＭＯＢ＿ＳＬＰ＿ＲＥＱメッセージの要求に応じてアクティブ化を行う。
【０００９】
トラフィックダウンロードメッセージ（ＭＯＢ＿ＴＲＦ＿ＩＮＤ）は、パワーセービングクラスタイプ１でのみ使用されるもので、移動局がスリープモードにあるとき、その移動局にダウンリンクトラフィックがあるか否かを示す情報を送ることにより、そのようなトラフィックを有する移動局がスリープモードを終了できるようにする。
【００１０】
測距要求メッセージ（ＲＮＧ＿ＲＥＱ）は、現在のサービング基地局との同期を取るために変化するアップリンク／ダウンリンクチャネルディスクリプタを要求するか、又は物理層のフレームナンバー同期を要求するのに使用されるメッセージである。
【００１１】
測距応答メッセージ（ＲＮＧ＿ＲＳＰ）は、前記ＲＮＧ＿ＲＥＱメッセージに対する応答メッセージであり、周期的な測距のための値を提供して基地局と移動局が同期を維持できるようにするメッセージである。
【００１２】
図２は従来のスリープモード動作（パワーセービングクラスタイプ１）の信号フロー図である。
【００１３】
電力消費を最小化するために、移動局は、スリープモード要求メッセージ（ＭＯＢ＿ＳＬＰ＿ＲＥＱ）を基地局に送信する。これに対する応答として、前記基地局は、応答メッセージ（ＭＯＢ＿ＳＬＰ＿ＲＳＰ）により、スリープモード開始フレーム、リッスン期間、スリープ期間などに関する情報を送信することにより、スリープモードへの移行を許可する。スリープモードが許可された前記移動局は、前記ＭＯＢ＿ＳＬＰ＿ＲＳＰメッセージで許容された適切なフレームでスリープモードに移行できる。スリープ期間に前記移動局は、特別な場合を除いては、前記基地局とＭＡＣ  ＰＤＵを送受信しない。スリープモード状態にある前記移動局のためのダウンリンクトラフィックがある場合、前記基地局は、前記移動局にトラフィックダウンリンクメッセージを送ることにより、前記移動局をスリープモード状態からウェイクアップしてリッスン期間にデータを受信させる。前記リッスン期間が終了すると、前記移動局は再びスリープモード状態に戻る。
【発明の開示】
【発明が解決しようとする課題】
【００１４】
前述のような従来技術においては、スリープモードをサポートするために移動局が基地局とやり取りするメッセージは定義されているが、スリープモードに関連して、移動局内のプロトコルスタック（層）及び基地局内のプロトコルスタック（層）での実際の動作は定義されていない。すなわち、移動局及び基地局の各プロトコルスタック内でのネットワーク制御管理システム（Ｎｅｔｗｏｒｋ  Ｃｏｎｔｒｏｌ  Ｍａｎａｇｅｍｅｎｔ  Ｓｙｓｔｅｍ；ＮＣＭＳ）を介してＭＡＣ層と上位管理エンティティ間で伝達される情報に関するプリミティブが定義されていない。
【課題を解決するための手段】
【００１５】
本発明の一態様は前述のような従来技術の問題に対する本発明者らの認識を含む。このような問題を解決するために、本発明は、移動局のスリープモード動作をサポートできるように、広帯域無線アクセスシステムにおいてプロトコルスタック層での動作を明確にするために、上位管理層とＭＡＣ層間のプリミティブを定義する方法を提供する。
【発明の効果】
【００１６】
本発明によれば、本発明により定義されたプリミティブを利用して移動局がスリープモードを行う場合、プロトコルスタック層内での正確な動作を実現できる。従って、このようなプリミティブを利用することにより、直接又は間接方式でＮＣＭＳとメディア独立ハンドオーバー（Ｍｅｄｉａ  Ｉｎｄｅｐｅｎｄｅｎｔ  Ｈａｎｄｏｖｅｒ；ＭＩＨ）層間の通信が可能になるので、ＭＩＨ手順を実現できる。
【発明を実施するための最良の形態】
【００１７】
本発明は８０２．１６ｅネットワークなどの広帯域無線アクセスシステムで実現されると記述されている。しかし、本発明の概念及び教示は一般的な技術に基づいて類似した方式で動作する多様な通信スキームに適用できるので、本発明は他のタイプの通信規格（例えば、８０２．１６ｇ、８０２．２１、８０２．１１ｕなど）に準拠した通信システムでも適用及び実現できる。以下、添付の図面を参照して本発明の実施形態を説明するが、本発明はこれに限定されるものではない。
【００１８】
また、本発明の特定態様においては、エンティティ、インタフェース、プリミティブ、メッセージなどのための特定名称に関して記述するが、本技術の分野における通常の知識を有する者であれば、このような名称に限定されず、その機能が本発明の教示に該当するものであれば他の名称（ラベル、用語など）も使用できることを明確に理解するであろう。
【００１９】
本発明は、プリミティブをＭＡＣ層からＮＣＭＳを介して必要な上位管理エンティティに伝達することにより、システム（移動局又は基地局）を管理又は制御していたエンティティがＭＡＣ層とＰＨＹ層を管理できるようにする方法を提供する。特に、移動局がスリープモードで動作するとき、移動局及び基地局内のプロトコルスタックでＮＣＭＳを介してＭＡＣ層と上位管理エンティティ間で伝達されなければならないプリミティブを定義する方法を提供する。
【００２０】
ここで、管理エンティティとは、ＮＣＭＳとインタフェースする全てのエンティティをいい、機器内のＩＰ層又はその上位層にある論理的な管理エンティティ又は物理的な管理エンティティを含む。本発明の動作は、ＮＣＭＳを介して上位管理エンティティから管理ＳＡＰ（Ｍａｎａｇｅｍｅｎｔ  ＳＡＰ；Ｍ−ＳＡＰ）又は制御ＳＡＰ（Ｃｏｎｔｒｏｌ  ＳＡＰ；Ｃ−ＳＡＰ）に通信が行われるので、ＮＣＭＳが直接プリミティブを送る（伝達する）ように見える。
【００２１】
本発明において上位管理エンティティとは、図１に示すようなプロトコルスタック内の階層管理エンティティの上位に位置し、ＮＣＭＳ又は階層管理エンティティの管理ＳＡＰを介して通信される物理的な上位管理エンティティ又は論理的な上位管理エンティティに区分される。上位管理エンティティは、特定プロトコルスタック内に存在することもでき、別途の独立したシステム又はスタックとして存在することもできるが、概念的に上位管理エンティティという。
【００２２】
図３はメディア独立ハンドオーバー（ＭＩＨ）を考慮したプロトコル構造モデルを示す図である。
【００２３】
本発明において提供されるプリミティブは管理ＳＡＰ（Ｍ−ＳＡＰ）又は制御ＳＡＰ（Ｃ−ＳＡＰ）を介してＮＣＭＳに伝達され、ＮＣＭＳはそのプリミティブを上位管理エンティティを含めて必要な位置に伝達することができる。
【００２４】
Ｍ−ＳＡＰは、システム構成、モニタリング統計（ｍｏｎｉｔｏｒｉｎｇ  ｓｔａｔｉｓｔｉｃｓ）、通知／トリガなどの機能を有するが、これに限定されるものではない。Ｃ−ＳＡＰは、ハンドオーバー（例えば、移動局からのハンドオーバー要求の通知など）、アイドルモード移動性管理（例えば、移動局のアイドルモード移行）、加入者及びセッション管理（例えば、移動局のセッション設定要求）、無線リソース管理などの機能を有するが、これに限定されるものではない。本発明のプリミティブはその機能別に前述のように区分することができ、このようなプリミティブはＭ−ＳＡＰ及び／又はＣ−ＳＡＰを介して伝達することができる。
【００２５】
図４及び図５は本発明によるプリミティブ動作原理を示す図である。図４は遠隔エンティティとの相互作用を要するプリミティブを示し、図５はローカルスタック内でのみ伝達されるプリミティブを示す。
【００２６】
図４に示すように、遠隔エンティティとの相互作用がある場合は、要求／確認（Ｒｅｑｕｅｓｔ／Ｃｏｎｆｉｒｍａｔｉｏｎ）又は応答／指示（Ｒｅｓｐｏｎｓｅ／Ｉｎｄｉｃａｔｉｏｎ）から構成される１対の動作が行われる。
【００２７】
図５に示すように、ローカルスタック内で動作が行われる場合は、管理エンティティとＮＣＭＳ間の相互交換（すなわち、双方向動作）と、単方向動作の２つの状況があり得る。双方向動作の場合、管理エンティティからＭ−ＳＡＰ／Ｃ−ＳＡＰを介したＮＣＭＳへの伝達は要求といい、それに対して伝送される応答は指示という。単方向動作の場合、管理エンティティからＭ−ＳＡＰ／Ｃ−ＳＡＰを介したＮＣＭＳへの伝達は要求といい、反対方向への単方向伝達は指示という。
【００２８】
本発明によるプリミティブは、マルチモードの移動局において、管理エンティティが該当モードを指示する場合、又は該当モードが全てのマルチモードを管理するエンティティに情報を伝達する場合に使用できる。この場合は次の２つの状況がある。
【００２９】
第１に、ＭＩＨ層又はＭＩＨ機能から下位層にプリミティブが伝達される場合、ＭＩＨ（層又は機能）は、上位層から受信した情報（例えば、コマンドなど）を解析して該当プリミティブを伝達することもでき、上位層の情報（コマンド）を本発明のコマンドとマッピングして伝送することもできる。
【００３０】
第２に、下位層からＭＩＨ層又はＭＩＨ機能にプリミティブが伝達される場合、ＭＩＨ（層又は機能）は、下位層から受信したプリミティブを解析して上位層に送る該当プリミティブ（ＭＩＨで定義する統一されたプリミティブ）を送信することもでき、下位層のプリミティブを上位層に送るプリミティブと単にマッピングして送信することもできる。
【００３１】
ＭＩＨに使用される場合、本発明により定義されたプリミティブはＮＣＭＳとＭＩＨ間のＳＡＰ又は管理エンティティとＭＩＨ間のＳＡＰを介して伝達されて、ＭＩＨ技術が実現されるようにする。
【００３２】
広帯域無線アクセスシステムにおけるスリープモードサポート方法は、移動局の上位管理エンティティから下位層である移動局のＭＡＣ層に第１プリミティブを伝達してスリープモード要求を指示する段階と、前記移動局のＭＡＣ層が基地局にスリープ要求メッセージを送信してスリープモードへの移行を要求する段階と、前記基地局からスリープ応答メッセージを受信する段階と、前記スリープ応答メッセージの指示内容に応じてスリープモードに移行する段階とを含む。
【００３３】
広帯域無線アクセスシステムで移動局のスリープモードをサポートするために、基地局と送受信するＭＡＣメッセージ及び本発明により提供されるプリミティブが利用される。以下、移動局及び基地局内でＮＣＭＳを介して上位管理エンティティとＭＡＣ層間で行われる動作を説明する実施形態について図６を参照して説明する。
【００３４】
図６は本発明の一実施形態を示すフローチャートである。移動局がパワーを節約するためにスリープモードに移行しようとするとき、前記移動局の上位管理エンティティは、前記移動局のＭＡＣ層にＭ＿Ｓｌｅｅｐ．ｒｅｑｕｅｓｔプリミティブを伝達して、スリープモードへの移行を要求する（Ｓ５１）。前記Ｍ＿Ｓｌｅｅｐ．ｒｅｑｕｅｓｔプリミティブを受信した前記移動局のＭＡＣ層は、基地局にＭＯＢ＿ＳＬＰ＿ＲＥＱメッセージを送信して、スリープモードへの移行を要求する（Ｓ５２）。
【００３５】
前記基地局のＭＡＣ層と前記基地局の上位管理エンティティとは、Ｍ＿Ｓｌｅｅｐ．ｉｎｄｉｃａｔｉｏｎプリミティブとＭ＿Ｓｌｅｅｐ．ｒｅｓｐｏｎｓｅプリミティブとを交換して、スリープモードに関する少なくとも１つのパラメータを許可する（Ｓ５３、Ｓ５４）。
【００３６】
前記基地局の上位管理エンティティから前記Ｍ＿Ｓｌｅｅｐ．ｒｅｓｐｏｎｓｅプリミティブを受信した前記基地局のＭＡＣ層は、ＭＯＢ＿ＳＬＰ＿ＲＳＰメッセージを前記移動局に送信して、前記移動局のスリープモードへの移行を許可する（Ｓ５５）。しかし、前記基地局は、前記移動局がスリープモードへの移行を要求したとしても、そのスリープモード要求を拒否することができる。
【００３７】
前記基地局から前記ＭＯＢ＿ＳＬＰ＿ＲＳＰメッセージを受信した前記移動局のＭＡＣ層は、前記移動局の上位管理エンティティにＭ＿Ｓｌｅｅｐ．ｃｏｎｆｉｒｍａｔｉｏｎプリミティブを伝達して、前記基地局のスリープモード移行要求の処理結果を通知する（Ｓ５６）。前記Ｍ＿Ｓｌｅｅｐ．ｃｏｎｆｉｒｍａｔｉｏｎプリミティブを送受信した前記移動局のＭＡＣ層及び上位管理エンティティがＭ＿ＳｌｅｅｐＳｔａｒｔ．ｒｅｑｕｅｓｔプリミティブとＭ＿ＳｌｅｅｐＳｔａｒｔ．ｃｏｎｆｉｒｍａｔｉｏｎプリミティブとを交換した後（Ｓ５７、Ｓ５８）、前記移動局はスリープモード状態に移行できる。ここで、前記移動局のＭＡＣ層がスリープモード状態への移行に成功していない場合、Ｍ＿ＳｌｅｅｐＳｔａｒｔ．ｃｏｎｆｉｒｍａｔｉｏｎプリミティブの結果コードにより、スリープモードへの移行に失敗したことを通知する。
【００３８】
前記移動局がスリープモードにあるとき、前記基地局からダウンリンクトラフィックがあるか否かを通知するために、前記基地局は前記移動局のＭＡＣ層にＭＯＢ＿ＴＲＦ＿ＩＮＤメッセージを送信する（Ｓ５９）。前記基地局から前記ＭＯＢ＿ＴＲＦ＿ＩＮＤメッセージを受信した前記移動局のＭＡＣ層は、前記移動局の上位管理エンティティにＭ＿Ｔｒａｆｆｉｃ．ｉｎｄｉｃａｔｉｏｎプリミティブを送って、ダウンリンクトラフィックがあるか否かを通知する（Ｓ６０）。
【００３９】
前記Ｍ＿Ｔｒａｆｆｉｃ．ｉｎｄｉｃａｔｉｏｎプリミティブを受信した前記移動局の上位管理エンティティは、前記移動局のＭＡＣ層にＭ＿ＳｌｅｅｐＳｔａｔｕｓＣｈａｎｇｅ．ｒｅｑｕｅｓｔプリミティブを伝達して、前記移動局がスリープモードに移行すべきか、又は現在状態を維持すべきかを指示する（Ｓ６１）。前記Ｍ＿ＳｌｅｅｐＳｔａｔｕｓＣｈａｎｇｅ．ｒｅｑｕｅｓｔプリミティブを受信した前記移動局のＭＡＣ層は、前記Ｍ＿ＳｌｅｅｐＳｔａｔｕｓＣｈａｎｇｅ．ｒｅｑｕｅｓｔプリミティブにより指示されたアクションを行い、その結果をＭ＿ＳｌｅｅｐＳｔａｔｕｓＣｈａｎｇｅ．ｃｏｎｆｉｒｍａｔｉｏｎプリミティブにより前記移動局の上位管理エンティティに通知する（Ｓ６２）。
【００４０】
以下、図６を参照して説明したように、移動局によるスリープモード実行及び基地局からのスリープモード要求のために、管理ＳＡＰ（Ｍａｎａｇｅｍｅｎｔ  ＳＡＰ；Ｍ＿ＳＡＰ）及び／又は制御ＳＡＰ（Ｃｏｎｔｒｏｌ  ＳＡＰ；Ｃ＿ＳＡＰ）を介して送信するプリミティブについて詳細に説明する。
【００４１】
（１）Ｍ＿Ｓｌｅｅｐ．ｒｅｑｕｅｓｔプリミティブ
１）機能
移動端末のＮＣＭＳは、ＭＡＣ層に前記Ｍ＿Ｓｌｅｅｐ．ｒｅｑｕｅｓｔプリミティブを送信することにより、スリープモードへの移行を要求できる。
【００４２】
２）セマンティクス
Ｍ＿Ｓｌｅｅｐ．ｒｅｑｕｅｓｔ｛
Ｓｏｕｒｃｅ，
Ｄｅｓｔｉｎａｔｉｏｎ，
Ｄｅｆｉｎｉｔｉｏｎ，
Ｐｏｗｅｒ  Ｓａｖｉｎｇ  Ｃｌａｓｓ  Ｔｙｐｅ，
Ｏｐｅｒａｔｉｏｎ，
Ｐｏｗｅｒ＿Ｓａｖｉｎｇ＿Ｃｌａｓｓ＿ＩＤ
｝
下記の表１は前記Ｍ＿Ｓｌｅｅｐ．ｒｅｑｕｅｓｔプリミティブのデータフォーマットの一例を示すものである。
【００４３】
【表１】
2008533944.tif 000003
前記Ｍ＿Ｓｌｅｅｐ．ｒｅｑｕｅｓｔプリミティブのセマンティクスには、パワーセービングクラスによるスリープ期間の動作が定義されていない。しかし、上位管理エンティティは、パワーセービングクラスによるスリープ期間をパラメータとして定義し、前記パラメータを移動局のＭＡＣ層に伝達できる。
【００４４】
３）生成時点
前記Ｍ＿Ｓｌｅｅｐ．ｒｅｑｕｅｓｔプリミティブは、電力消費を最小化するために移動端末がスリープモード状態を要求すると、移動端末の上位管理エンティティにより生成される。
【００４５】
４）受信時の効果
移動局のＭＡＣ層が前記Ｍ＿Ｓｌｅｅｐ．ｒｅｑｕｅｓｔプリミティブを受信した場合、スリープモードへの移行を要求するメッセージ（ＭＯＢ＿ＳＬＰ＿ＲＥＱ）が基地局のＭＡＣ層に伝達される。
【００４６】
（２）Ｍ＿Ｓｌｅｅｐ．ｉｎｄｉｃａｔｉｏｎプリミティブ
１）機能
前記Ｍ＿Ｓｌｅｅｐ．ｉｎｄｉｃａｔｉｏｎプリミティブは、特定移動端末がスリープモードへのモード移行を要求することを基地局のＭＡＣ層が上位管理エンティティに通知する機能を果たす。
【００４７】
２）セマンティクス
Ｍ＿Ｓｌｅｅｐ．ｉｎｄｉｃａｔｉｏｎ｛
Ｓｏｕｒｃｅ，
Ｄｅｓｔｉｎａｔｉｏｎ，
Ｐｏｗｅｒ  Ｓａｖｉｎｇ  Ｃｌａｓｓ  Ｔｙｐｅ，
Ｄｅｆｉｎｉｔｉｏｎ，
Ｏｐｅｒａｔｉｏｎ，
Ｐｏｗｅｒ＿Ｓａｖｉｎｇ＿Ｃｌａｓｓ＿ＩＤ，
Ｓｔａｒｔ＿ｆｒａｍｅ＿ｎｕｍｂｅｒ．
Ｌｉｓｔｅｎｉｎｇ  ｗｉｎｄｏｗ，
Ｉｎｉｔｉａｌ＿Ｓｌｅｅｐ  ｗｉｎｄｏｗ，
Ｆｉｎａｌ＿Ｓｌｅｅｐ  ｗｉｎｄｏｗ  ｂａｓｅ，
Ｆｉｎａｌ＿Ｓｌｅｅｐ  ｗｉｎｄｏｗ  ｅｘｐｏｎｅｎｔ
Ｎｕｍｂｅｒ  ｏｆ  ＣＩＤ，
Ｎ＿Ｓｌｅｅｐ＿ＣＩＤ
｝
下記の表２は前記Ｍ＿Ｓｌｅｅｐ．ｉｎｄｉｃａｔｉｏｎプリミティブのデータフォーマットの一例を示すものである。
【００４８】
【表２】
2008533944.tif 000004
３）生成時点
前記Ｍ＿Ｓｌｅｅｐ．ｉｎｄｉｃａｔｉｏｎプリミティブは、移動局のＭＡＣエンティティがスリープモード要求メッセージ（ＭＯＢ＿ＳＬＰ＿ＲＥＱ）を受信すると生成される。
【００４９】
４）受信時の効果
基地局の上位管理エンティティが前記Ｍ＿Ｓｌｅｅｐ．ｉｎｄｉｃａｔｉｏｎプリミティブを受信した場合、特定移動端末のスリープモード要求を許可するか否かを決定し、その結果をＭ＿Ｓｌｅｅｐ．ｒｅｓｐｏｎｓｅプリミティブにより基地局のＭＡＣ層に通知する。
【００５０】
（３）Ｍ＿Ｓｌｅｅｐ．ｒｅｓｐｏｎｓｅプリミティブ
１）機能
前記Ｍ＿Ｓｌｅｅｐ．ｒｅｓｐｏｎｓｅプリミティブは、基地局の上位管理エンティティが特定移動端末により要求されたスリープモードを許可するか否かの決定を基地局のＭＡＣ層に通知する機能を果たす。
【００５１】
２）セマンティクス
Ｍ＿Ｓｌｅｅｐ．ｒｅｓｐｏｎｓｅ｛
Ｓｏｕｒｃｅ，
Ｄｅｓｔｉｎａｔｉｏｎ，
Ｐｏｗｅｒ  Ｓａｖｉｎｇ  Ｃｌａｓｓ  Ｔｙｐｅ，
Ｄｅｆｉｎｉｔｉｏｎ，
Ｏｐｅｒａｔｉｏｎ，
Ｐｏｗｅｒ＿Ｓａｖｉｎｇ＿Ｃｌａｓｓ＿ＩＤ，
ＲＥＱ＿ｄｕｒａｔｉｏｎ，
Ｓｔａｒｔ＿ｆｒａｍｅ＿ｎｕｍｂｅｒ
Ｌｉｓｔｅｎｉｎｇ  ｗｉｎｄｏｗ，
Ｉｎｉｔｉａｌ＿ｓｌｅｅｐ  ｗｉｎｄｏｗ，
Ｆｉｎａｌ＿Ｓｌｅｅｐ  ｗｉｎｄｏｗ  ｂａｓｅ，
Ｆｉｎａｌ＿Ｓｌｅｅｐ  ｗｉｎｄｏｗ  ｅｘｐｏｎｅｎｔ，
Ｎｕｍｂｅｒ  ｏｆ  ＣＩＤ，
Ｎ＿Ｓｌｅｅｐ＿ＣＩＤ
｝
下記の表３は前記Ｍ＿Ｓｌｅｅｐ．ｒｅｓｐｏｎｓｅプリミティブのデータフォーマットの一例を示すものである。
【００５２】
【表３】
2008533944.tif 000005
３）生成時点
前記Ｍ＿Ｓｌｅｅｐ．ｒｅｓｐｏｎｓｅプリミティブは、前記Ｍ＿Ｓｌｅｅｐ．ｉｎｄｉｃａｔｉｏｎプリミティブを受信した基地局の上位管理エンティティがその結果を通知することに決定した時点に生成される。
【００５３】
４）受信時の効果
基地局のＭＡＣ層が前記Ｍ＿Ｓｌｅｅｐ．ｒｅｓｐｏｎｓｅプリミティブにより受信したパラメータを含んでスリープモード応答（ＭＯＢ＿ＳＬＰ＿ＲＳＰ）メッセージを移動端末のＭＡＣ層に送信する。
【００５４】
（４）Ｍ＿Ｓｌｅｅｐ．ｃｏｎｆｉｒｍａｔｉｏｎプリミティブ
１）機能
前記Ｍ＿Ｓｌｅｅｐ．ｃｏｎｆｉｒｍａｔｉｏｎプリミティブは、前記スリープモード応答メッセージの結果を移動局の上位管理エンティティに通知する機能を果たす。
【００５５】
２）セマンティクス
Ｍ＿Ｓｌｅｅｐ．ｃｏｎｆｉｒｍａｔｉｏｎ｛
Ｓｏｕｒｃｅ，
Ｄｅｓｔｉｎａｔｉｏｎ，
Ｐｏｗｅｒ  Ｓａｖｉｎｇ  Ｃｌａｓｓ  Ｔｙｐｅ，
Ｄｅｆｉｎｉｔｉｏｎ，
Ｏｐｅｒａｔｉｏｎ，
Ｐｏｗｅｒ＿Ｓａｖｉｎｇ＿Ｃｌａｓｓ＿ＩＤ，
ＲＥＱ−ｄｕｒａｔｉｏｎ，
Ｓｔａｒｔ＿ｆｒａｍｅ＿ｎｕｍｂｅｒ．
Ｌｉｓｔｅｎｉｎｇ  ｗｉｎｄｏｗ，
Ｉｎｉｔｉａｌ＿ｓｌｅｅｐ  ｗｉｎｄｏｗ，
Ｆｉｎａｌ＿Ｓｌｅｅｐ  ｗｉｎｄｏｗ  ｂａｓｅ，
Ｆｉｎａｌ＿Ｓｌｅｅｐ  ｗｉｎｄｏｗ  ｅｘｐｏｎｅｎｔ，
Ｎｕｍｂｅｒ  ｏｆ  ＣＩＤ，
Ｎ＿Ｓｌｅｅｐ＿ＣＩＤ
｝
下記の表４は前記Ｍ＿Ｓｌｅｅｐ．ｃｏｎｆｉｒｍａｔｉｏｎプリミティブのデータフォーマットの一例を示すものである。
【００５６】
【表４】
2008533944.tif 000006
３）生成時点
前記Ｍ＿Ｓｌｅｅｐ．ｃｏｎｆｉｒｍａｔｉｏｎプリミティブは、移動局のＭＡＣ層が基地局のＭＡＣ層からスリープモード応答（ＭＯＢ＿ＳＬＰ＿ＲＳＰ）メッセージを受信すると生成される。
【００５７】
４）受信時の効果
基地局から移動端末のスリープモード状態への移行の結果を受信するのに使用される。
【００５８】
（５）Ｍ＿ＳｌｅｅｐＳｔａｒｔ．ｒｅｑｕｅｓｔプリミティブ
１）機能
前記Ｍ＿ＳｌｅｅｐＳｔａｒｔ．ｒｅｑｕｅｓｔプリミティブは、前記Ｍ＿Ｓｌｅｅｐ．ｃｏｎｆｉｒｍａｔｉｏｎプリミティブによって、移動端末がスリープモードに移行するか、又は現在状態を維持するかを指示する機能を果たす。
【００５９】
２）セマンティクス
Ｍ＿ＳｌｅｅｐＳｔａｒｔ．ｒｅｑｕｅｓｔ｛
Ｓｏｕｒｃｅ，
Ｄｅｓｔｉｎａｔｉｏｎ，
Ａｃｔｉｏｎ  Ｃｏｄｅ，
｝
下記の表５は前記Ｍ＿ＳｌｅｅｐＳｔａｒｔ．ｒｅｑｕｅｓｔプリミティブのデータフォーマットの一例を示すものである。
【００６０】
【表５】
2008533944.tif 000007
３）生成時点
前記Ｍ＿ＳｌｅｅｐＳｔａｒｔ．ｒｅｑｕｅｓｔプリミティブは、移動局の上位管理エンティティがＭＡＣ層から前記Ｍ＿Ｓｌｅｅｐ．ｃｏｎｆｉｒｍａｔｉｏｎプリミティブを受信した後に生成される。
【００６１】
４）受信時の効果
移動端末は、アクションコードによって、スリープモードに移行するか、現在の正常状態を維持するアクションを行う。
【００６２】
（６）Ｍ＿ＳｌｅｅｐＳｔａｒｔ．ｃｏｎｆｉｒｍａｔｉｏｎプリミティブ
１）機能
前記Ｍ＿ＳｌｅｅｐＳｔａｒｔ．ｃｏｎｆｉｒｍａｔｉｏｎプリミティブは、前記Ｍ＿ＳｌｅｅｐＳｔａｒｔ．ｒｅｑｕｅｓｔプリミティブの要求が成功したか否かを確認する機能を果たす。
【００６３】
２）セマンティクス
Ｍ＿ＳｌｅｅｐＳｔａｒｔ．ｃｏｎｆｉｒｍａｔｉｏｎ｛
Ｓｏｕｒｃｅ，
Ｄｅｓｔｉｎａｔｉｏｎ，
Ｒｅｓｕｌｔ  ｃｏｄｅ
｝
下記の表６は前記Ｍ＿ＳｌｅｅｐＳｔａｒｔ．ｃｏｎｆｉｒｍａｔｉｏｎプリミティブのデータフォーマットの一例を示すものである。
【００６４】
【表６】
2008533944.tif 000008
３）生成時点
前記Ｍ＿ＳｌｅｅｐＳｔａｒｔ．ｃｏｎｆｉｒｍａｔｉｏｎプリミティブは、前記Ｍ＿ＳｌｅｅｐＳｔａｒｔ．ｒｅｑｕｅｓｔプリミティブを受信してアクションコードによる動作を行った後、移動端末のＭＡＣ層により生成される。
【００６５】
４）受信時の効果
移動局が指示に応じて状態遷移を行ったか否かを判断する。
【００６６】
（７）Ｍ＿Ｔｒａｆｆｉｃ．ｉｎｄｉｃａｔｉｏｎプリミティブ
１）機能
前記Ｍ＿Ｔｒａｆｆｉｃ．ｉｎｄｉｃａｔｉｏｎプリミティブは、基地局がスリープモードにある移動端末に送信するダウンリンクトラフィックがあるか否かを示す情報を上位管理エンティティに提供する機能を果たす。
【００６７】
２）セマンティクス
Ｍ＿Ｔｒａｆｆｉｃ．ｉｎｄｉｃａｔｉｏｎ｛
Ｓｏｕｒｃｅ，
Ｄｅｓｔｉｎａｔｉｏｎ，
ＳＬＰＩＤ  Ｇｒｏｕｐ  Ｉｎｄｉｃａｔｉｏｎ  Ｂｉｔｍａｐ，
Ｔｒａｆｆｉｃ  Ｉｎｄｉｃａｔｉｏｎ  Ｂｉｔｍａｐ
｝
下記の表７は前記Ｍ＿Ｔｒａｆｆｉｃ．ｉｎｄｉｃａｔｉｏｎプリミティブのデータフォーマットの一例を示すものである。
【００６８】
【表７】
2008533944.tif 000009
３）生成時点
前記Ｍ＿Ｔｒａｆｆｉｃ．ｉｎｄｉｃａｔｉｏｎプリミティブは、基地局のＭＡＣ層からダウンリンクトラフィック開始（ＭＯＢ＿ＴＦ＿ＩＮＤ）メッセージを受信した後に生成される。
【００６９】
４）受信時の効果
移動局の上位管理エンティティは、前記Ｍ＿Ｔｒａｆｆｉｃ．ｉｎｄｉｃａｔｉｏｎプリミティブから提供された情報により、ダウンリンクトラフィックが存在するか否かを確認して、スリープモードを終了するか、又は正常状態を維持するアクションを行う。
【００７０】
（８）Ｍ＿ＳｌｅｅｐＳｔａｔｕｓＣｈａｎｇｅ．ｒｅｑｕｅｓｔプリミティブ
１）機能
前記Ｍ＿ＳｌｅｅｐＳｔａｔｕｓＣｈａｎｇｅ．ｒｅｑｕｅｓｔプリミティブは、移動局がスリープモードを維持又は終了することを上位管理エンティティが要求できるようにする機能を果たす。
【００７１】
２）セマンティクス
Ｍ＿ＳｌｅｅｐＳｔａｔｕｓＣｈａｎｇｅ．ｒｅｑｕｅｓｔ｛
Ｓｏｕｒｃｅ，
Ｄｅｓｔｉｎａｔｉｏｎ，
Ａｃｔｉｏｎ  ｃｏｄｅ
｝
下記の表８は前記Ｍ＿ＳｌｅｅｐＳｔａｔｕｓＣｈａｎｇｅ．ｒｅｑｕｅｓｔプリミティブのデータフォーマットの一例を示すものである。
【００７２】
【表８】
2008533944.tif 000010
３）生成時点
前記Ｍ＿ＳｌｅｅｐＳｔａｔｕｓＣｈａｎｇｅ．ｒｅｑｕｅｓｔプリミティブは、移動局の上位管理エンティティがＭＡＣ層から前記Ｍ＿Ｔｒａｆｆｉｃ．ｉｎｄｉｃａｔｉｏｎプリミティブを受信した後に生成される。
【００７３】
４）受信時の効果
移動端末のＭＡＣ層がスリープモードを終了するか、又は維持するかを示す。
【００７４】
（９）Ｍ＿ＳｌｅｅｐＳｔａｔｕｓＣｈａｎｇｅ．ｃｏｎｆｉｒｍａｔｉｏｎプリミティブ
１）機能
前記Ｍ＿ＳｌｅｅｐＳｔａｔｕｓＣｈａｎｇｅ．ｃｏｎｆｉｒｍａｔｉｏｎプリミティブは、前記Ｍ＿ＳｌｅｅｐＳｔａｔｕｓＣｈａｎｇｅ．ｒｅｑｕｅｓｔプリミティブからの要求が成功したか否かを確認する機能を果たす。
【００７５】
２）セマンティクス
Ｍ＿ＳｌｅｅｐＳｔａｔｕｓＣｈａｎｇｅ．ｃｏｎｆｉｒｍａｔｉｏｎ｛
Ｓｏｕｒｃｅ，
Ｄｅｓｔｉｎａｔｉｏｎ，
Ｒｅｓｕｌｔ  ｃｏｄｅ
｝
下記の表９は前記Ｍ＿ＳｌｅｅｐＳｔａｔｕｓＣｈａｎｇｅ．ｃｏｎｆｉｒｍａｔｉｏｎプリミティブのデータフォーマットの一例を示すものである。
【００７６】
【表９】
2008533944.tif 000011
３）生成時点
前記Ｍ＿ＳｌｅｅｐＳｔａｔｕｓＣｈａｎｇｅ．ｃｏｎｆｉｒｍａｔｉｏｎプリミティブは、移動端末のＭＡＣ層が上位管理エンティティから前記Ｍ＿ＳｌｅｅｐＳｔａｔｕｓＣｈａｎｇｅ．ｒｅｑｕｅｓｔプリミティブを受信してアクションコードによる動作を行った後に生成される。
【００７７】
４）受信時の効果
移動端末の上位管理エンティティが前記Ｍ＿ＳｌｅｅｐＳｔａｔｕｓＣｈａｎｇｅ．ｒｅｑｕｅｓｔプリミティブによりＭＡＣ層に指示した動作の現在状態を、前記Ｍ＿ＳｌｅｅｐＳｔａｔｕｓＣｈａｎｇｅ．ｃｏｎｆｉｒｍａｔｉｏｎプリミティブを受信することにより明確に判断できる。
【００７８】
前記様々な特徴を実現するために、本発明は、様々なタイプのハードウェア及び／又はソフトウェア構成要素（モジュール）を用いる。例えば、様々なハードウェアモジュールは、広帯域無線アクセスシステムで前記スキャニング実行方法の段階を行うために必要な様々な回路及び構成要素を含む。また、（プロセッサ及び／又は他のハードウェアにより実行される）様々なソフトウェアモジュールは、本発明の方法の段階を行うために必要な様々なコード及びプロトコルを含む。
【００７９】
スリープモードにおいて（ＭＳ  ＭＡＣの観点）、本発明は、スリープ要求を示す第１プリミティブをＭＳ  ＮＣＭＳから受信する段階と、スリープ要求メッセージをネットワークに送信する段階と、スリープ応答メッセージを前記ネットワークから受信する段階と、スリープ確認を示す第２プリミティブを前記ＭＳ  ＮＣＭＳに送信する段階と、トラフィック指示メッセージを前記ネットワークから受信する段階と、トラフィックが存在するか否かを示す第３プリミティブを前記ＭＳ  ＮＣＭＳに選択的に送信する段階とを含むことを特徴とする広帯域無線アクセスシステムにおける移動局のスリープモードサポート方法を提供する。
【００８０】
前記第１プリミティブ、スリープ要求メッセージ、スリープ応答メッセージ、及び第２プリミティブは、パワーセービングクラスＩＤ、動作、開始フレームナンバー、リッスン期間、初期スリープ期間、最終スリープ期間ベース、最終スリープ期間指数、ＣＩＤの数、スリープＣＩＤの数、及びＲＥＧデュレーションの少なくとも１つを含む。前記方法は、スリープ開始要求を示す第４プリミティブを前記ＭＳ  ＮＣＭＳから受信する段階と、前記スリープ開始要求の結果を示す第５プリミティブを前記ＭＳ  ＮＣＭＳに送信する段階とをさらに含み、前記結果が前記スリープ開始要求の成功又は失敗を示す。前記第４プリミティブはアクションコードを含む。前記アクションコードは正常状態の維持又はスリープ状態の開始を示す。前記方法は、スリープ状態変更要求を示す第６プリミティブを前記ＭＳ  ＮＣＭＳから受信する段階と、前記スリープ状態変更要求の結果を示す第７プリミティブを前記ＭＳ  ＮＣＭＳに送信する段階とをさらに含み、前記結果が前記スリープ状態変更要求の成功又は失敗を示す。前記第６プリミティブはアクションコードを含む。前記アクションコードはスリープモードの終了又はスリープモードの維持を示す。
【００８１】
スリープモードにおいて（ＭＳ  ＭＩＨの観点）、本発明は、同種ネットワーク及び異種ネットワークの少なくとも一方とやり取りするメッセージを管理するための移動局の上位層に統一されたインタフェースを設定する段階と、前記統一されたインタフェース（ＭＩＨ）がＭＳ  ＭＡＣにスリープモードを開始することを要求できるようにする第１メッセージをＭＳ  ＮＣＭＳに送信する段階と、前記開始されたスリープモードの確認を示す第２メッセージを前記ＭＳ  ＭＡＣから受信する段階と、トラフィックが存在するか否かを示す第３メッセージを前記ＭＳ  ＭＡＣから選択的に受信する段階とを含むことを特徴とする広帯域無線アクセスシステムにおける移動局のスリープモードサポート方法を提供する。前記第１メッセージ及び第２メッセージは、パワーセービングクラスＩＤ、動作、開始フレームナンバー、リッスン期間、初期スリープ期間、最終スリープ期間ベース、最終スリープ期間指数、ＣＩＤの数、スリープＣＩＤの数、及びＲＥＧデュレーションの少なくとも１つを含む。前記方法は、スリープ開始要求を示す第４メッセージを前記ＭＳ  ＮＣＭＳに送信する段階と、前記スリープ開始要求の結果を示す第５メッセージを前記ＭＳ  ＮＣＭＳから受信する段階とをさらに含み、前記結果が前記スリープ開始要求の成功又は失敗を示す。前記第４メッセージはアクションコードを含む。前記アクションコードは正常状態の維持又はスリープ状態の開始を示す。前記方法は、スリープ状態変更要求を示す第６メッセージを前記ＭＳ  ＮＣＭＳに送信する段階と、前記スリープ状態変更要求の結果を示す第７メッセージを前記ＭＳ  ＮＣＭＳから受信する段階とをさらに含み、前記結果が前記スリープ状態変更要求の成功又は失敗を示す。前記第６メッセージはアクションコードを含む。前記アクションコードはスリープモードの終了又はスリープモードの維持を示す。
【００８２】
スリープモードにおいて（ＢＳ  ＭＡＣの観点）、本発明は、スリープ要求メッセージをＭＳ  ＭＡＣから受信する段階と、スリープ要求を示す第１プリミティブをネットワークＮＣＭＳ又は上位エンティティに送信する段階と、前記スリープ要求の結果を示す第２プリミティブを前記ネットワークＮＣＭＳ又は上位エンティティから受信する段階と、スリープ応答メッセージを前記ＭＳ  ＭＡＣに送信する段階とを含むことを特徴とする広帯域無線アクセスシステムにおける移動局のスリープモードサポート方法を提供する。前記第１プリミティブ、スリープ要求メッセージ、スリープ応答メッセージ、及び第２プリミティブは、パワーセービングクラスＩＤ、動作、開始フレームナンバー、リッスン期間、初期スリープ期間、最終スリープ期間ベース、最終スリープ期間指数、ＣＩＤの数、スリープＣＩＤの数、及びＲＥＧデュレーションの少なくとも１つを含む。
【００８３】
スリープモードにおいて（ＢＳ  ＭＩＨの観点）、本発明は、同種ネットワーク及び異種ネットワークの少なくとも一方とやり取りするメッセージを管理するためのネットワークの上位層に統一されたインタフェースを設定する段階と、スリープ要求を示す第１メッセージを前記ネットワークＮＣＭＳから受信する段階と、前記スリープ要求の確認を示す第２メッセージを前記ネットワークＮＣＭＳに送信する段階とを含むことを特徴とする広帯域無線アクセスシステムにおける移動局のスリープモードサポート方法を提供する。前記第１メッセージ及び第２メッセージは、パワーセービングクラスＩＤ、動作、開始フレームナンバー、リッスン期間、初期スリープ期間、最終スリープ期間ベース、最終スリープ期間指数、ＣＩＤの数、スリープＣＩＤの数、及びＲＥＧデュレーションの少なくとも１つを含む。
【００８４】
本明細書は本発明の様々な実施形態を記述している。特許請求の範囲は本明細書に開示されている実施形態の多様な変更及び同等の構成をも含むものである。従って、特許請求の範囲はここに開示されている発明の精神及び範囲内で変更、同等の構造、及び特徴を含むように広範囲に解釈されるべきである。
【図面の簡単な説明】
【００８５】
本発明の理解を助けるために添付され、本明細書の一部を構成する図面は、本発明の多様な実施形態を示し、明細書と共に本発明の原理を説明する。
【図１】広帯域無線アクセスシステムのプロトコル層構造を示す図である。
【図２】従来のスリープモード動作（パワーセービングクラスタイプ１）の信号フロー図である。
【図３】メディア独立ハンドオーバー（ＭＩＨ）を考慮したプロトコル構造モデルを示す図である。
【図４】本発明によるプリミティブ動作原理を示す図である。
【図５】本発明によるプリミティブ動作原理を示す図である。
【図６】本発明の一実施形態による信号フローを示す図である。
【図１】
2008533944.tif 000012
【図２】
2008533944.tif 000013
【図３】
2008533944.tif 000014
【図４】
2008533944.tif 000015
【図５】
2008533944.tif 000016
【図６】
2008533944.tif 000017
【国際調査報告】
2008533944.tif 000018
2008533944.tif 000019